(57)【特許請求の範囲】
【請求項１】
並列に配置する複数の細長いスラットと、各スラットの間に挟まれる球状部材と、スラットと球状部材にそれぞれ通して互いを連結するワイヤとを備え、各スラットが対向する側の端部には、球状部材の一部を受け入れて嵌合する凹部がそれぞれ設けてあることを特徴とする簾。
【請求項２】
スラットは、上下端にそれぞれ凹部を有するとともに、上下端の中間部に垂直面を有し且つ垂直面と凹部の間に傾斜面を有することを特徴とする請求項１記載の簾。
【請求項３】
簾と支柱とを備えており、簾は、両側端部を支柱間に固定してあることを特徴とする請求項１又は２記載のフェンス。
【請求項４】
簾は、支柱間を上下動すると共に巻き取りが自在であることを特徴とする請求項３記載のフェンス。
【発明の詳細な説明】
【技術分野】
【０００１】
本発明は、採光や採風、あるいは遮視による躯体内のプライバシー保護を目的とした簾と、その簾を有するフェンスに関するものである。
【背景技術】
【０００２】
躯体開口部やフェンスの支柱間に取り付ける簾としては、特開２００４−３０５６４６号公報がある。この簾は、並列に複数配置する細長い中空金属管棒の間に中空金属間接材を挟み、各々にワイヤを挿通して一列に連結したものであり、支柱間や躯体開口部の両側枠間で吊り下げることで、中空金属管棒間の隙間から採光、採風をしながら、外からの遮視効果を付与するものであった。また、簾状であることから開放したいときには上枠側に巻き取ることも可能であった。
【先行技術文献】
【特許文献】
【０００３】
【特許文献１】特開２００４−３０５６４６号公報
【発明の概要】
【発明が解決しようとする課題】
【０００４】
上記の特許文献１に開示されるものでは、中空金属管棒と中空金属管間接材に厚みがあることから、簾のコンパクトな巻き取りができなかった。また、各中空金属管棒の間に中空金属管間接材の大きさ以上の隙間が形成されることから、中空金属管棒間の隙間が大きくなって遮視性が確保できない問題点があった。
本発明は、上記課題を鑑みてなされたものであり、巻き取りがコンパクトに行えるとともに、遮視性が確保される簾と、簾を備えるフェンスを提供することにある。
【課題を解決するための手段】
【０００５】
本発明のうち請求項１記載の発明は、並列に配置する複数の細長いスラットと、各スラットの間に挟まれる球状部材と、スラットと球状部材にそれぞれ通して互いを連結するワイヤとを備え、各スラットが対向する側の端部には、球状部材の一部を受け入れて嵌合する凹部がそれぞれ設けてあることを特徴とする。
【０００６】
本発明のうち請求項２記載の発明では、スラットは、上下端にそれぞれ凹部を有するとともに、中間部に垂直面を有し且つ垂直面と凹部との間に傾斜面を有することを特徴とする。
【０００７】
本発明のうち請求項３記載の発明は、簾と支柱とを備えており、簾は、その両側端部を支柱間に固定してあることを特徴とする。
【０００８】
本発明のうち請求項４記載の発明では、簾は、支柱間を上下動すると共に巻き取りが自在であることを特徴とする。
【発明の効果】
【０００９】
本発明の請求項１記載の発明によれば、スラットに球状部材を受け入れる凹部を有しており、並列に配置するスラット間に球状部材を挟んで各々にワイヤを通して連結することにより、凹部に球状部材の一部が受け入れられた分、スラット間の隙間が狭くなって遮視性が確保される。
【００１０】
本発明の請求項２記載の発明によれば、スラットの中間部に垂直面を有し、また、垂直面と凹部との間に傾斜面を有することにより、スラットと球状部材との段差が小さくなることから、簾をコンパクトに巻き取ることができる。さらに、スラットの凹部と垂直面との間に傾斜面を有することにより、日差しや灯りの光が傾斜面で乱反射し、この反射光でスラット間の隙間が見えにくくなって遮視性が向上する。
【００１１】
本発明の請求項３記載の発明によれば、各スラットの両側端部を支柱間に固定することにより、間仕切りなどのフェンスとして使用することができる。
【００１２】
本発明の請求項４記載の発明によれば、支柱間で簾が上下動するとともに、巻き取り自在であることから、フェンスの内外の開放と閉塞が容易に行えるので、使い勝手のよいフェンスを提供できる。
【図面の簡単な説明】
【００１３】
【図１】本実施による簾の側面図であり、（ａ）は、図１（ｂ）中Ａを拡大して簾の一部を示す縦断面図であり、（ｂ）は、図２（ａ）中Ｂ−Ｂ線縦断面図である。
【図２】（ａ）は、簾を取り付けたフェンスの外側から見た正面図であり、（ｂ）は、（ａ）中Ｃ−Ｃ線横断面図である。
【図３】（ａ）は、図２（ａ）中Ｄを拡大して外側から見た正面図であり、（ｂ）は、簾の使用状態を説明する一部を拡大した縦断面図である。
【図４】本発明の他の実施形態のフェンスを示すものであり、（ａ）は、外側から見た正面図であり、（ｂ）は、図４（ａ）中のＦ−Ｆ線横断面図である。
【図５】（ａ）は、図４中のＥ−Ｅ線縦断面図であり、（ｂ）は、巻き取られた状態の簾を示す横断面図であり、（ｃ）は、図５中Ｇを拡大して示す縦断面図である。
【図６】本発明の他の実施形態のフェンスを示すものであり、（ａ）は、外側から見た正面図であり、（ｂ）は、図６（ａ）中のＨ−Ｈ線横断面図である。
【発明を実施するための形態】
【００１４】
以下に、図面に基づいて本実施による簾の実施の形態を説明する。
本実施による簾１１は、図１（ａ）のように、並列に複数配置する細長く且つ中空のスラット１と、各スラット１の間に配置する球状部材２と、各スラット１と球状部材２に挿通して線状に連結するワイヤ３とからなり、図１（ｂ）のように、躯体窓１０の外側に間隔をあけて立設してある支柱６の上枠７に吊り下げてある。スラット１は、彎曲した傾斜面１ａを有しており、さらに、傾斜面１ａと連続する中間部に垂直面１ｂを有する縦長の角丸矩形状をなし、上下両端部に略半円状をなす凹部４がスラット１長手方向に連続して設けてある。また、スラット１の上下の各凹部４間を貫くかたちでワイヤ３を通す挿通孔５ａが設けてあり、この挿通孔５ａは、スラット１の長手方向に間隔をあけた複数箇所に設けてあり、ワイヤ３を通したときにスラット１を略水平に維持して吊り下げられるように形成してある。また、球状部材２は、中空で且つ球状をなしており、その上端と下端の二箇所を切欠いてワイヤ３を通す挿通孔５ｂが設けてある。そして、ワイヤ３にスラット１と球状部材２を交互に挿通して各々を連結させることで簾１１を形成する。また、前述のように形成した簾１１は、本実施のものでは図２（ａ）（ｂ）のように、両側の各支柱６と各支柱６の上部間に取り付ける上枠７とから下向きコ字状に組まれたフェンスにおける上枠７に取り付けてあり、上枠７から簾１１が吊り下がって外側と躯体窓１０側を遮っている。また、各スラット１長手方向の両側端部は、支柱６内周側に設けてある縦溝８内に係止してあり、これにより、簾１１が両支柱６と上枠７の間で固定される。
【００１５】
上記のように形成したフェンスは、図３（ａ）のように、簾１１を室外側正面から見たときに、球状部材２の上端の一部と下端の一部が上下に隣接するスラット１の凹部４に嵌ることにより、球状部材２が嵌り込んだ分、各スラット１間の隙間９が狭くなり、簾１１による遮視性が確保される。また、図３（ｂ）のように、簾１１に陽が差したときは、スラット１の傾斜面１ａで光が乱反射し、各スラット１間の隙間９にも反射光があたることにより、隙間９から躯体側が覗きにくくなる。
【００１６】
図４（ａ）（ｂ）は、本発明の他の実施形態を示すものであり、簾１１については、上記した簾１１固定型の実施形態のものと同一のため説明を省略するが、上枠２７の躯体側にシャッターボックス２９が設けてあり、そのシャッターボックス２９内には、図５（ａ）を参照すれば、巻き取り軸３０で巻き取られた簾１１が格納してある。そして、簾１１の各スラット１の両側端部は、フェンスの両支柱２６内周側にそれぞれ設けてある縦溝２８に上下動自在に係止してあり、シャッターボックス２９から簾１１を引き出したときに、縦溝２８に沿って摺動する。簾１１は、任意の引き下げ位置で位置決めでき、フェンスにおける簾１１の開閉を自由に調節できる。また、図５（ｂ）（ｃ）のように、シャッターボックス２９内に簾１１が巻き取られたとき、スラット１の中間部に垂直面１ｂを有することにより、単に断面円形状のものと比べて肉厚が薄くなることに加え、垂直面１ｂと凹部４との間に傾斜面１ａを有することで球状部材２との段差が小さくなる。さらに、球状部材２の一部が隣接するスラット１の凹部４に嵌り込む構造であり、これが簾１１の上下方向に多数配されるものであることから、図５（ｃ）のように、スラット１と球状部材２との連結部において各々が関節のように動き、巻き取りがスムーズに行えると共に、球状部材２との段差が小さく、簾１１の厚みが薄くなることにより、シャッターボックス２９内に簾１１をコンパクトに巻き取ることができてフェンス全体の厚みを抑えることができる。
【００１７】
また、本発明は、上記の実施形態に限定されない。図６（ａ）のように、上枠を設けずに支柱３６間で簾１１を支持して取り付けるものであってもよい。具体的に、本実施によるフェンスは、図６（ｂ）のように、支柱３６の内周側に設けてある縦溝３８にスラット１の両側端部を差し込んで簾１１を支持している。さらに、簾１１を支柱６，２６，３６間の内周側に取り付けるもの以外に屋根の軒先に吊り下げてもよく、簾１１の取付場所については限定しない。また、凹部４についても、上記実施形態では略半円状に形成してあるが、球状部材２と嵌合したときに略一致する形状であればよい。スラット１については本実施ではアルミを素材とするが、樹脂やその他を素材とするものでもよい。また、傾斜面１ａは、上記実施形態では彎曲しているが、フラットに形成してもよい。また、簾１１は、可動型であれば、巻き取りと引き出しが電動でなされるものであってもよい。
【符号の説明】
【００１８】
１  スラット
２  球状部材
３  ワイヤ
４  凹部
６，２６，３６  支柱
１ａ  傾斜面
１ｂ  垂直面
１１  簾
【図１】
0005611782.tif 000002
【図２】
0005611782.tif 000003
【図３】
0005611782.tif 000004
【図４】
0005611782.tif 000005
【図５】
0005611782.tif 000006
【図６】
0005611782.tif 000007